(57)【要約】【課題】襟付きの衣類の収納に際し、型崩れを防止するとともに、通気性が悪化することに起因する不具合を抑止することのできる衣類収納補助具及びそれを用いた衣類の収納方法を提供する。【解決手段】シャツ収納補助具１は、板状の台板部２と、台板部２の上縁部２ａから台板部２に対して交差する方向に向けて延びる立板部３と、立板部３の先端部から台板部２の下縁部側に向けて延び、先端部が台板部２と略当接する押さえ板部４とを備える。また、台板部２の裏面に対して、防虫性能及び防湿性能を有するシート状の防虫・防湿シート７が貼付けられている。そして、台板部２と押さえ板部４との間にワイシャツＳの襟部Ｓ１を挿入すると、台板部２と押さえ板部４とでワイシャツＳが挟持される。【選択図】      図２
2007167155.tif 000002
【特許請求の範囲】
【請求項１】
薄板状の台板部と、
前記台板部の上縁部から前記台板部に対して交差する方向に向けて延びる立板部と、
前記立板部の先端部から前記台板部の下縁部側に向けて延び、先端部が前記台板部と略当接する押さえ板部と、
前記台板部に重なるようにして少なくとも一部が露出状態で設けられたシート状の防湿手段とを具備し、
前記台板部と前記押さえ板部との間に衣類の襟部を挿入可能に構成するとともに、前記台板部と前記押さえ板部とで衣類を挟持可能に構成したことを特徴とする衣類収納補助具。
【請求項２】
薄板状の台板部と、
前記台板部の上縁部から前記台板部に対して交差する方向に向けて延びる立板部と、
前記立板部の先端部から前記台板部の下縁部側に向けて延び、先端部が前記台板部と略当接する押さえ板部と、
前記台板部に重なるようにして少なくとも一部が露出状態で設けられたシート状の防虫手段とを具備し、
前記台板部と前記押さえ板部との間に衣類の襟部を挿入可能に構成するとともに、前記台板部と前記押さえ板部とで衣類を挟持可能に構成したことを特徴とする衣類収納補助具。
【請求項３】
薄板状の台板部と、
前記台板部の上縁部から前記台板部に対して交差する方向に向けて延びる立板部と、
前記立板部の先端部から前記台板部の下縁部側に向けて延び、先端部が前記台板部と略当接する押さえ板部と、
前記台板部に重なるようにして少なくとも一部が露出状態で設けられたシート状の防虫・防湿手段とを具備し、
前記台板部と前記押さえ板部との間に衣類の襟部を挿入可能に構成するとともに、前記台板部と前記押さえ板部とで衣類を挟持可能に構成したことを特徴とする衣類収納補助具。
【請求項４】
前記台板部には、複数の通気孔が形成されていることを特徴とする請求項１乃至３のいずれかに記載の衣類収納補助具。
【請求項５】
少なくとも前記押さえ板部は、透明又は略透明な樹脂により構成されていることを特徴とする請求項１乃至４のいずれかに記載の衣類収納補助具。
【請求項６】
前記台板部、前記立板部、及び前記押さえ板部は、弾性を有する樹脂により一体形成されていることを特徴とする請求項１乃至５のいずれかに記載の衣類収納補助具。
【請求項７】
前記押さえ板部の先端部から前記台板部の下縁部側に向けて前記台板部と略平行して延びる延長部と、
前記延長部に両端部が連結された伸縮可能な帯状の結束手段とを備え、
衣類の襟部を前記台板部と前記押さえ板部との間に挿入した状態において、前記結束手段を前記台板部の裏面側に廻すことで、前記結束手段が伸張状態とされることを特徴とする請求項１乃至６のいずれかに記載の衣類収納補助具。
【請求項８】
上記請求項１乃至７のいずれかに記載の衣類収納補助具を用いた衣類の収納方法であって、
衣類を広げた状態で、その襟部を前記台板部と前記押さえ板部との間に挿入し、
衣類のうち、前記台板部の周縁部よりも外側に飛び出している部位を、前記台板部の周縁部に沿って前記台板部の裏面側に折り返した状態で収納することを特徴とする衣類収納補助具を用いた衣類の収納方法。
【発明の詳細な説明】
【技術分野】
【０００１】
本発明は、襟付きの衣類の収納に際して用いられる衣類収納補助具及びそれを用いた衣類の収納方法に関するものである。
【背景技術】
【０００２】
例えば、ワイシャツ等の襟付きの衣類を上下に積み重ねて収納する場合、下積みとなった衣類の襟部が潰れ、型崩れしてしまうおそれがある。
【０００３】
これに対し、例えば、台板部と、台板部の上縁部から台板部に直交して延びる立板部と、立板部の先端部から台板部の下縁部側に向けて台板部と平行して延びる保護板部と、保護板部の先端部から次第に台板部との距離を狭めるようにして延びる押さえ板部とを備えた衣類収納補助具に対し、折り畳んだワイシャツの襟部を台板部と保護板部との間に挿入することで、ワイシャツの収納に際して襟部の型崩れを防止するといった技術がある（例えば、特許文献１参照。）。
【特許文献１】実開昭５５−１２７０７９号公報
【発明の開示】
【発明が解決しようとする課題】
【０００４】
ところが、上記特許文献１に記載の衣類収納補助具は樹脂により構成されている。この衣類収納補助具を用いてワイシャツを箪笥等に積み重ねて収納する場合には、当該衣類収納補助具によって通気が阻害されてしまうおそれがある。特に、台板部と保護板部との間に位置する襟部や、下積みとされたワイシャツの通気性が著しく悪化してしまうことが懸念される。このように通気性が悪くなると、例えば、箪笥内に複数個の防湿剤等を入れておいたとしてもその効力が十分に発揮されないことが懸念される。
【０００５】
本発明は上記事情に鑑みてなされたものであり、その目的は、襟付きの衣類の収納に際し、型崩れを防止するとともに、通気性が悪化することに起因する不具合を抑止することのできる衣類収納補助具及びそれを用いた衣類の収納方法を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．薄板状の台板部と、
前記台板部の上縁部から前記台板部に対して交差する方向に向けて延びる立板部と、
前記立板部の先端部から前記台板部の下縁部側に向けて延び、先端部が前記台板部と略当接する押さえ板部と、
前記台板部に重なるようにして少なくとも一部が露出状態で設けられたシート状の防湿手段とを具備し、
前記台板部と前記押さえ板部との間に衣類の襟部を挿入可能に構成するとともに、前記台板部と前記押さえ板部とで衣類を挟持可能に構成したことを特徴とする衣類収納補助具。
【０００８】
手段１によれば、シャツ等の襟付きの衣類の収納に際し、その襟部を台板部と押さえ板部との間に挿入することで当該襟部を保護することができる。従って、例えば、当該衣類が下積みとされた場合にも襟部が潰れてしまうといったおそれを防止することができる。
【０００９】
また、本手段によれば、台板部と押さえ板部とによって衣類が挟持される。このため、例えば、箪笥等への収納に際し、衣類収納補助具に対して衣類（特に襟部）が位置ずれすることに起因して、衣類に皺等が発生してしまうといったおそれを抑制することができる。
【００１０】
ところで、上記のような衣類収納補助具を用いて、例えば、衣類を上下に積み重ねて箪笥に収納する場合には、台板部等によって通気が阻害されてしまうことが懸念される。特に、通気性が悪くなると、箪笥内に複数の防湿材を入れておいたとしても、一度衣類が湿気を含んでしまうと、その湿気が滞留してしまうことが懸念される。この点、手段１によれば、台板部に重なるようにして防湿手段が設けられている。このため、衣類が積み重ねられたとしても一着毎確実に防湿効果が奏される。結果として、衣類にカビが発生してしまうといったおそれを抑止することができる。また、防湿手段がシート状であるため、防湿手段によって衣類収納補助具が嵩張ってしまうといったおそれを抑制することができる。
【００１１】
尚、防湿手段としては、所定の吸湿性能を有するシート状のものであればよく、例えば、不織布、織布、フェルト等が挙げられる。また、例えば、透湿フィルムを袋状にしてその中にシリカゲル等を充填したシート状のもの等を採用してもよい。
【００１２】
手段２．薄板状の台板部と、
前記台板部の上縁部から前記台板部に対して交差する方向に向けて延びる立板部と、
前記立板部の先端部から前記台板部の下縁部側に向けて延び、先端部が前記台板部と略当接する押さえ板部と、
前記台板部に重なるようにして少なくとも一部が露出状態で設けられたシート状の防虫手段とを具備し、
前記台板部と前記押さえ板部との間に衣類の襟部を挿入可能に構成するとともに、前記台板部と前記押さえ板部とで衣類を挟持可能に構成したことを特徴とする衣類収納補助具。
【００１３】
手段２によれば、シャツ等の襟付きの衣類の収納に際し、その襟部を台板部と押さえ板部との間に挿入することで当該襟部を保護することができる。従って、例えば、当該衣類が下積みとされた場合にも襟部が潰れてしまうといったおそれを防止することができる。
【００１４】
また、本手段によれば、台板部と押さえ板部とによって衣類が挟持される。このため、例えば、箪笥等への収納に際し、衣類収納補助具に対して衣類（特に襟部）が位置ずれすることに起因して、衣類に皺等が発生してしまうといったおそれを抑制することができる。
【００１５】
ところで、上記のような衣類収納補助具を用いて、例えば、衣類を上下に積み重ねて箪笥に収納する場合には、台板部等によって通気が阻害されてしまうことが懸念される。特に、通気性が悪くなると、箪笥内に複数個の防虫剤を入れておいたとしても、その効力が十分に行き渡らないことが懸念される。この点、本手段２によれば、台板部に重なるようにして防虫手段が設けられているため、衣類が積み重ねられたとしても一着毎確実に防虫効果が奏される。結果として、衣類が虫食いになってしまうといったおそれを抑止することができる。また、防虫手段がシート状であるため、防虫手段によって衣類収納補助具が嵩張ってしまうといったおそれを抑制することができる。
【００１６】
尚、防虫手段としては、所定の防虫性能を有するシート状のものであればよく、例えば、布やフィルム等にパラジクロルベンゼン、ナフタリン、しょうのう、ピレスロイド系の防虫剤、又は防虫効果のある植物油等を含浸させたり、塗布したりしたもの等が挙げられる。
【００１７】
手段３．薄板状の台板部と、
前記台板部の上縁部から前記台板部に対して交差する方向に向けて延びる立板部と、
前記立板部の先端部から前記台板部の下縁部側に向けて延び、先端部が前記台板部と略当接する押さえ板部と、
前記台板部に重なるようにして少なくとも一部が露出状態で設けられたシート状の防虫・防湿手段とを具備し、
前記台板部と前記押さえ板部との間に衣類の襟部を挿入可能に構成するとともに、前記台板部と前記押さえ板部とで衣類を挟持可能に構成したことを特徴とする衣類収納補助具。
【００１８】
手段３によれば、手段１及び手段２を併せた作用効果が奏される。尚、防虫・防湿手段としては、所定の防虫性能及び吸湿性能を有するシート状のものであればよく、例えば、パラジクロルベンゼン、ナフタリン、しょうのう、ピレスロイド系の防虫剤、又は防虫効果のある植物油等が含浸された不織布、織布、フェルト等が挙げられる。
【００１９】
手段４．前記台板部には、複数の通気孔が形成されていることを特徴とする手段１乃至３のいずれかに記載の衣類収納補助具。
【００２０】
手段４によれば、通気性を高めることができる。また、例えば、台板部の裏面に重ねて防湿手段や防虫手段を設ける構成であっても、通気孔を介して、台板部の表面側にもその効力を及ばせることができる。
【００２１】
手段５．少なくとも前記押さえ板部は、透明又は略透明な樹脂により構成されていることを特徴とする手段１乃至４のいずれかに記載の衣類収納補助具。
【００２２】
手段５によれば、衣類の襟部を台板部と押さえ板部との間に挿入した状態において、押さえ板部越しに襟部を視認することができる。従って、襟部又は襟部周縁部に皺ができた状態で収納されてしまうといったおそれを防止することができる。また、比較的容易に襟部及び襟部周縁部の形を整えることができる。
【００２３】
手段６．前記台板部、前記立板部、及び前記押さえ板部は、弾性を有する樹脂により一体形成されていることを特徴とする手段１乃至５のいずれかに記載の衣類収納補助具。
【００２４】
例えば、押さえ板部のみが弾性を有する樹脂により構成され、台板部及び立板部が硬質素材により構成されている場合、衣類の襟部を台板部と押さえ板部との間に挿入するにあたって台板部と押さえ板部との間を押し広げるために、押さえ板部を大きく形状変化させる必要が生じる上、大きな力を必要としてしまうおそれがある。また、このように押さえ板部を大きな力で大きく変形させると、場合によっては、押さえ板部が破断してしまうおそれがある。この点、本手段６によれば、台板部、立板部、及び押さえ板部が弾性を有する樹脂により一体形成されているため、台板部と押さえ板部との間を押し広げる際に、台板部、立板部、及び押さえ板部が、それぞれ隣接する部材の形状変化に合わせて追従的に形状変化することとなる。従って、台板部、立板部、及び押さえ板部の個々の変形量を抑制することができ、結果として、上記不具合を抑止することができる。
【００２５】
尚、衣類収納補助具は、ポリ塩化ビニル製であることとしてもよい。この場合、適度な弾性力が得られ、衣類を適度な力で挟持することができるとともに、台板部と押さえ板部との間を押し広げる際に、衣類収納補助具が破断されてしまうといったおそれを抑止することができる。
【００２６】
手段７．前記押さえ板部の先端部から前記台板部の下縁部側に向けて前記台板部と略平行して延びる延長部と、
前記延長部に両端部が連結された伸縮可能な帯状の結束手段とを備え、
衣類の襟部を前記台板部と前記押さえ板部との間に挿入した状態において、前記結束手段を前記台板部の裏面側に廻すことで、前記結束手段が伸張状態とされることを特徴とする手段１乃至６のいずれかに記載の衣類収納補助具。
【００２７】
手段７によれば、結束手段により衣類をより確実に保持することができる。従って、衣類収納補助具に対して衣類が位置ずれしてしまうといったおそれをより確実に防止することができる。また、衣類の袖部や腹部等を台板部の裏面側に折り返した状態で当該衣類を収納するような場合、結束手段によって台板部の裏面側に折り返された部位を抑えることができる。従って、収納作業が比較的容易なものとなる。
【００２８】
手段８．上記手段１乃至７のいずれかに記載の衣類収納補助具を用いた衣類の収納方法であって、
衣類を広げた状態で、その襟部を前記台板部と前記押さえ板部との間に挿入し、
衣類のうち、前記台板部の周縁部よりも外側に飛び出している部位を、前記台板部の周縁部に沿って前記台板部の裏面側に折り返した状態で収納することを特徴とする衣類収納補助具を用いた衣類の収納方法。
【００２９】
手段８によれば、衣類のうち、台板部の周縁部よりも外側に飛び出している部位が、台板部の周縁部に沿って台板部の裏面側に折り返される。このため、衣類の畳み上がりの形状を画一化することができ、衣類を整頓しやすくなる。また、衣類の袖部や腹部をそのまま折り返して収納する場合に比べ、折り返し部に台板部が介在することから、折り返し線ができにくい。
【発明を実施するための最良の形態】
【００３０】
以下に、一実施形態について図面を参照しつつ説明する。図１はシャツ収納補助具の構成を示す斜視図である。図２はシャツ収納補助具の構成を示す側面図である。
【００３１】
シャツ収納補助具１は、板状の台板部２と、台板部２の上縁部２ａから台板部２と交差する方向に延びる立板部３と、立板部３の先端部から台板部２の下縁部２ｂ側に向けて次第に台板部２との距離を狭めるようにして延びる押さえ板部４とを備えている。本実施形態では、台板部２、立板部３、及び押さえ板部４は、透明又は略透明なポリ塩化ビニルにより一体的に形成され、その厚みはいずれの部位においても約１ｍｍとなっている。
【００３２】
台板部２には、そのほぼ全域にわたって、所定間隔毎に複数の通気孔６が形成されている。また、台板部２の裏面には、台板部２と略同形状となるようにカットされた防虫・防湿手段としての防虫・防湿シート７が両面テープにより貼付けられている（図２参照）。防虫・防湿シート７は、常温で揮散するピレスロイド系の防虫剤が含浸されたポリオレフィン系樹脂製の不織布により構成されている。また、本実施形態では、台板部２の長手方向の長さ（上縁部２ａから下縁部２ｂまでの距離）が４０ｃｍとなっている。
【００３３】
立板部３は、台板部２の下縁部側に向けて若干傾いており、本実施形態では、立板部３と台板部２とのなす角度が約７５度〜８５度となっている。また、本実施形態では、立板部３の立ち上がりの長さは約２ｃｍとなっている。
【００３４】
押さえ板部４は、その先端部において台板部２の表面と略当接状態となっている。本実施形態では、押さえ板部４の先端部が、台板部２の長手方向中央位置よりもやや上縁部２ａ側の部位と略当接状態となっている。また、本実施形態では、立板部３と押さえ板部４とのなす角度が約９０度〜９５度となっている（もちろん、９０度以下でもよい）。
【００３５】
また、本実施形態では、立板部３の幅（左右）方向における中心線上に沿って不透明な位置決めテープ８が貼付けられている。当該位置決めテープ８は、押さえ板部４の基端部付近から立板部３の基端部までの間にかけて延在している。
【００３６】
次に、上記シャツ収納補助具１を用いてワイシャツＳを収納する手順について、図２、図３を参照しつつ説明する。
【００３７】
まず、図３に示すように、ワイシャツＳを広げた状態で、ワイシャツＳの襟部Ｓ１を台板部２と押さえ板部４との間に挿入する。この状態で、押さえ板部４越しに襟部Ｓ１を見ながら皺がなくなるように形を整える。また、位置決めテープ８の延長線上にワイシャツＳの中心（奥襟の中央部）が位置するように移動させる。
【００３８】
次に、図２の２点鎖線で示すように、ワイシャツＳのうち台板部２の左右縁部から飛び出ている部位Ｓ２（袖部等）を、それぞれ台板部２の左右縁部に沿って台板部２の裏面側に折り返す。ワイシャツＳの袖部が台板部２の裏面からはみ出すようであれば、台板部２の裏面側において袖部を適宜折り畳む。その後、ワイシャツＳのうち台板部２の下縁部２ｂから飛び出ている部位Ｓ３（腹部）を、台板部２の下縁部２ｂに沿って台板部２の裏面側に折り返す。尚、ワイシャツＳの腹部を折り返してから、ワイシャツＳの袖部を折り返してもよい。
【００３９】
以上のようにしてワイシャツＳを折り畳んだ後、当該ワイシャツＳを箪笥の引出し等に収納する。
【００４０】
以上詳述したように、本実施形態によれば、ワイシャツＳの襟部Ｓ１を台板部２と押さえ板部４との間に挿入することで当該襟部Ｓ１を保護することができる。従って、例えば、当該ワイシャツＳが下積みとされた場合にも襟部Ｓ１が潰れてしまうといったおそれを防止することができる。
【００４１】
さらに、本実施形態によれば、台板部２と押さえ板部４とによってワイシャツＳが挟持される。このため、例えば、箪笥等への収納に際し、シャツ収納補助具１に対してワイシャツＳ（特に襟部Ｓ１）が位置ずれすることに起因して、ワイシャツＳに皺等が発生してしまうといったおそれを抑制することができる。
【００４２】
また、本実施形態によれば、台板部２の裏面に防虫・防湿シート７が貼付けられている。この防虫・防湿シート７は、防虫剤が含浸された不織布により構成されており、ワイシャツＳに対して防虫効果が奏される上、不織布の吸湿作用により防湿（除湿）効果が奏される。従って、ワイシャツＳが積み重ねられて収納されたとしても一着毎確実に防虫効果及び防湿効果が奏される。結果として、ワイシャツＳが虫食いになってしまったり、カビが発生してしまったりするおそれを抑止することができる。また、防虫・防湿シート７がシート状であるため、防虫・防湿シート７によってシャツ収納補助具１が嵩張ってしまうといったおそれを抑制することができる。
【００４３】
また、台板部２に複数の通気孔６が形成されていることにより、通気性を高めることができる。また、台板部２の裏面に貼付けられた防虫・防湿シート７の効力を、通気孔６を介して、台板部２の表面側にも及ばせることができる。
【００４４】
さらに、押さえ板部４が透明又は略透明であることにより、ワイシャツＳの襟部Ｓ１を台板部２と押さえ板部４との間に挿入した状態において、押さえ板部４越しに襟部Ｓ１を視認することができる。従って、襟部Ｓ１又は襟部Ｓ１周縁部に皺ができた状態で収納されてしまうといったおそれを防止することができる。また、比較的容易に襟部Ｓ１及び襟部Ｓ１周縁部の形を整えることができる。
【００４５】
また、例えば、押さえ板部４のみがポリ塩化ビニルにより構成され、台板部２及び立板部３が別の硬質な素材により構成されている場合、ワイシャツＳの襟部Ｓ１を台板部２と押さえ板部４との間に挿入するにあたって、台板部２と押さえ板部４との間を押し広げるために、押さえ板部４を大きく形状変化させる必要が生じる上、大きな力を必要としてしまうおそれがある。また、このように押さえ板部４を大きな力で大きく変形させると、場合によっては押さえ板部４が破断してしまうおそれがある。この点、本実施形態によれば、台板部２、立板部３、及び押さえ板部４がポリ塩化ビニルにより一体形成されている。このため、台板部２と押さえ板部４との間を押し広げる際に、台板部２、立板部３、及び押さえ板部４が、それぞれ隣接する部材の形状変化に合わせて追従的に形状変化することとなる。従って、台板部２、立板部３、及び押さえ板部４の個々の変形量を抑制することができ、結果として、上記不具合を抑止することができる。また、シャツ収納補助具１がポリ塩化ビニル製であることにより、適度な弾性力が得られ、ワイシャツＳを適度な力で挟持することができるとともに、台板部２と押さえ板部４との間を押し広げる際に、シャツ収納補助具１が破断されてしまうといったおそれを抑止することができる。
【００４６】
加えて、ワイシャツＳを広げ、ワイシャツＳの襟部Ｓ１を台板部２と押さえ板部４との間に挿入した状態において、ワイシャツＳのうち、台板部２の周縁部よりも外側に飛び出している部位が、台板部２の周縁部に沿って台板部２の裏面側に折り返される。これにより、ワイシャツＳの畳み上がりの形状を画一化することができ、ワイシャツＳを整頓しやすくなる。また、ワイシャツＳの袖部や腹部をそのまま折り返して収納する場合に比べ、折り返し部に台板部２が介在することから、折り返し線ができにくい。
【００４７】
また、立板部３の幅方向における中心線上に沿って位置決めテープ８が貼付けられており、該位置決めテープ８の延長線上にワイシャツＳの中心を合わせることで、ワイシャツＳを左右均等な位置で折り曲げることができる。結果として、ワイシャツＳの畳み上がり形状が歪んでしまったり、折り返し線が付いた場合に見栄えが悪くなってしまったりするおそれを抑制することができる。
【００４８】
なお、上述した作用効果は、ワイシャツＳを上下に積み重ねる場合の他、シャツ収納補助具１を縦にしてワイシャツＳを前後に詰めて並べる場合にも奏される。
【００４９】
尚、上記実施形態の記載内容に限定されず、例えば次のように実施してもよい。勿論、以下において例示しない他の応用例、変更例も当然可能である。
【００５０】
（ａ）例えば、図４に示すようなシャツ収納補助具１０を採用することもできる。すなわち、押さえ板部４の先端部から台板部２の下縁部２ｂ側に向けて台板部２と略平行して延びる延長部１１を設けることとしてもよい。また、延長部１１に、左右一対の貫通孔１２を２組設け、左右一対の貫通孔１２間に跨るようにして結束手段としてのゴムバンド１３を設けることとしてもよい。この場合、台板部２と押さえ板部４との間にワイシャツＳの襟部を挟み、ワイシャツＳの台板部２の周縁部から飛び出た部位を台板部２の裏面側に折り畳んだ状態において、ゴムバンド１３を台板部２の裏面側に廻し、ゴムバンド１３を伸張状態とする構成を採用することもできる。当該構成によれば、ゴムバンド１３によりワイシャツＳをより確実に保持することができる。従って、シャツ収納補助具１０に対してワイシャツＳが位置ずれしてしまうといったおそれをより確実に防止することができる。また、ゴムバンド１３によりワイシャツＳのうち台板部２の裏面側に折り返された部位を抑えることができ、収納作業が比較的容易になる。
【００５１】
尚、ゴムバンド１３を、一対の貫通孔１２のうち一方の貫通孔１２から延び、先端部にフック等の係止部を備える第１辺部と、他方の貫通孔１２から延び、先端部にリング等の被係止部を備える第２辺部とから構成し、台板部２の裏面側において被係止部に対して係止部を係止させることで、ゴムバンド１３を伸張状態とさせる構成としてもよい。
【００５２】
（ｂ）上記実施形態では、台板部２の裏面に対して防虫・防湿シート７が貼付けられているが、特にこのような構成に限定されるものではない。例えば、台板部２の表面又は表裏両面に防虫・防湿シート７を接着剤で貼付けてもよい。また、例えば、台板部２をそれぞれ複数の通気孔が形成された上板と下板との２層構造とし、上板と下板とを上縁部及び左側縁部において連結し、上板と下板との間に防虫・防湿シート７を挟む構成としてもよい。この場合、防虫・防湿シート７を容易に交換することができる。また、例えば、台板部２の裏面に複数枚の防虫・防湿シート７を重ねて貼付けておき、露出している防虫・防湿シート７を１枚ずつ剥がせるよう構成してもよい。
【００５３】
加えて、上記実施形態では、防虫効果と防湿効果とを奏し得る防虫・防湿シート７が採用されているが、防虫効果を奏し得る防虫シート及び防湿効果を奏し得る防湿シートのうち少なくとも一方を設けることとしてもよい。また、防虫・防湿シート７は、ピレスロイド系の防虫剤が含浸されたポリオレフィン系樹脂製の不織布により構成されているが、例えば、パラジクロルベンゼン、ナフタリン、しょうのう、又は防虫効果のある植物油（レモングラス、ラベンダー、ローズマリー等）等が含浸された織布やフェルトにより構成してもよい。
【００５４】
（ｃ）上記実施形態における押さえ板部４の形状は、その先端部が台板部２の表面と略当接状態となっていればよく、特に限定されるものではない。例えば、断面略く字状に屈曲形成してもよいし、湾曲形成してもよい。
【００５５】
（ｄ）上記実施形態では特に言及していないが、押さえ板部４の台板部２との当接部位（ワイシャツＳに当たる部位）は尖っていない形状とすることが望ましい。例えば、押さえ板部４の先端縁部をＲ加工してもよいし、押さえ板部４の先端部を台板部２と交差する方向に折り返した形状（断面略円弧状）としてもよい。また、例えば、押さえ板部４の先端部にゴム製の接触部を取付けてもよい。これらの構成を採用する場合、押さえ板部４によってワイシャツＳが傷つけられてしまうといったおそれを回避することができる。
【００５６】
（ｅ）上記実施形態における台板部２の表面を凹凸形状としたり、台板部２のうちの押さえ板部４と対向する部位の一部においてゴム製のずれ止め部を設けたりしてもよい。これらの構成を採用する場合、シャツ収納補助具１に対してワイシャツＳが位置ずれしてしまうといったおそれをより確実に防止することができる。
【００５７】
（ｆ）上記実施形態における台板部２上縁部２ａ側において、当該台板部２の上縁部２ａから突出可能なフックを回動自在に設けてもよい。この場合、シャツ収納補助具１を吊るすことができる。また、箪笥の引出しに収納する場合には、フックを台板部２の上縁部２ａから突出しない位置となるように回動させることで、フックが収納の邪魔になってしまうおそれを防止することができる。
【００５８】
（ｇ）上記実施形態では特に言及していないが、押さえ板部４の左縁部、右縁部、下縁部（ワイシャツＳの折り返し部位に当たる箇所）は尖っていない形状とすることが望ましい。例えば、押さえ板部４の各周縁部をＲ加工してもよいし、台板部２の左縁部、右縁部、下縁部を断面略楕円状に折り曲げ形成してもよい。これらの構成を採用する場合、台板部２の周縁部によってワイシャツＳが傷つけられてしまうといったおそれを回避することができる。また、ワイシャツＳの折り返し部位に折り返し跡ができてしまうといったおそれをより確実に抑制することができる。
【００５９】
（ｈ）上記実施形態において、立板部３や押さえ板部４に通気孔を形成し、通気性を向上させてもよい。尚、上記実施形態における貫通孔６を省略することも可能である。
【００６０】
（ｉ）上記実施形態では、台板部２、立板部３、及び押さえ板部４が透明又は半透明なポリ塩化ビニルにより一体形成されているが、特にこのような構成に限定されるものではなく、例えば、その他の樹脂により構成してもよい。
【００６１】
（ｊ）上記実施形態では、シャツ収納補助具１を用いてワイシャツＳを収納する一例のみが記されているが、もちろん、シャツ収納補助具１を用いてその他の襟付きの衣類を収納した場合においても、上記同様の作用効果が奏される。尚、その他の襟付きの衣類としては、例えば、ポロシャツ、ブラウス、スーツ、学生服等が挙げられる。
【図面の簡単な説明】
【００６２】
【図１】シャツ収納補助具の構成を示す斜視図である。
【図２】シャツ収納補助具の構成を示す側面図である。
【図３】シャツ収納補助具を用いたワイシャツの収納手順を説明するための正面図である。
【図４】別の実施形態におけるシャツ収納補助具の構成を示す正面図である。
【符号の説明】
【００６３】
１…衣類収納補助具としてのシャツ収納補助具、２…台板部、３…立板部、４…押さえ板部、６…通気孔、７…防虫・防湿手段としての防虫・防湿シート、Ｓ…衣類としてのワイシャツ。
【図１】
2007167155.tif 000003
【図２】
2007167155.tif 000004
【図３】
2007167155.tif 000005
【図４】
2007167155.tif 000006